(57)【要約】【課題】    従来の片引き戸や引き分け戸に使用される掘り込み引き手が使いにくく、扉が重いと指が痛くなる。突き出し引き手では使い易いが扉の引き残しができる。    扉の引き残しができずに扉を全開でき、扉を開け閉めする時に指が痛くならず、扉への取り付けが簡単に強力にでき、使い易い引き戸の引き手を実現することが課題である。【解決手段】扉の片側の引き手を突き出し引き手とし、片側の引き手を掘り込み引き手とすることで、掘り込み引き手の手掛け溝の深さと手掛けの厚さの確保が可能となり、使い易い突き出し引き手と使い易い掘り込み引き手の組み合わせを実現した。両引き手で扉を挟むように引き手を取り付けることで、取り付け易く扉に強力に取り付けることができる組み合わせ引き手を実現した。【選択図】図２
2007002471.tif 000002
【特許請求の範囲】
【請求項１】
引き戸を開閉するための引き手で、扉（１）の戸袋側面（１４）を掘り込み引き手（５）とし、扉の外側面（１５）を突き出し引き手（２）として、両引き手で扉（１）を挟むように扉に取り付け、扉に掘り込んで取り付ける掘り込み引き手を扉の片側のみとしたことによって、掘り込み引き手の手掛け溝（６）の深さと手掛け（７）の厚さを確保し易くなり、掘り込み引き手が使い易くなるとともに、扉を全開した時に引き手が戸尻側壁（１２）に当たることなく扉を戸袋（１３）に収納でき、使い易く、取り付け易く、扉への強力な取り付けができるようにしたことを特徴とする引き戸の組み合わせ引き手。
【発明の詳細な説明】
【技術分野】
【０００１】
引き戸を開閉する為の引き手の技術に関する。
【背景技術】
【０００２】
一般に、引き戸の引き手は、扉の両側に掘り込み引き手を取り付けるか、又は扉の両側に突き出し引き手を取り付けるかのいずれかである。取り付け方法に関しては、掘り込み引き手の場合は、片側毎に扉にビス止めするのが普通である。一方、突き出し引き手の場合は、片側毎に扉に取り付けることもあれば、室内外両側の取手で扉を挟んで取り付けることもある。
【特許文献１】特開平１１−３１５６４９
【特許文献２】特開２０００−１１０４１６
【特許文献３】特開２００２−１５５６４３
【発明の開示】
【発明が解決しようとする課題】
【０００３】
しかし、扉の両側に突き出し引き手を取り付けた場合、扉を開ける時に引き手が戸尻側枠に当たる為に扉を全開することができないという欠点がある。また、従来の掘り込み引き手は引き手の手掛け溝（６）の深さが浅く、手掛け（７）部分が薄い為に指が奥まで入らず、力を掛けて扉を引きにくい。というのは、扉の両側に掘り込み引き手を取り付ける為に、手掛け溝の深さが扉の半分以下になるからである。つまり、掘り込み引き手が主に使用される扉の厚さは３６〜４０ミリメートルが多く、それゆえに、手掛け溝の深さは１８ミリメートル以下となってしまうのである。
【０００４】
片引き戸や引き分け戸について、扉の性質を図４に基づいて説明する。
掘り込み引き手（５）より突き出し引き手（２）の方が扉を引き易いのは言うまでもない。
その突き出し引き手を扉（１）の戸袋側面（１４）に取り付けた場合、突き出し引き手が戸尻側壁（１２）や枠に当たって扉を全開することができない。
扉を開けた時は開口寸法（１７）を少しでも広く確保したいと考えるのが普通である。扉の引き残しを無くしたいのが普通である。
課題は以上の事から引き戸を開閉し易く、扉を全開したときに引き残しができず、最大の開口寸法を確保できる引き手を実現することが課題である。
【課題を解決するための手段】
【０００５】
上記課題を解決するためには、掘り込み引き手と突き出し引き手で扉を挟み込んで取り付ける引き手を開発すればよいことになる。
従来の片引き戸や引き分け戸の建て付けは、ほとんどが図４で示した通りである。
突き出し引き手が戸尻側壁や枠に当たるのは扉（１）の戸袋側面（１４）のみで、扉の外側面（１５）の突き出し引き手は扉を全開しても当たる所はない。
したがって、扉の戸袋側面に掘り込み引き手を取り付け、扉の外側面には突き出し引き手を取り付け、両引き手をセットにすることで掘り込み引き手もより使い易い引き手にすることができる。
【０００６】
図２、３、４に基づいて発明の引き戸の組み合わせ引き手を説明する。
掘り込み引き手（５）を扉（１）の戸袋側面（１４）に取り付け、突き出し引き手（２）を扉の外側面（１５）に面付けして取り付けることで、掘り込み引き手の手掛け溝（６）の深さを扉の厚さいっぱいまで深くすることができる。
手掛け溝が深くなったことで手掛け（７）部分の厚さも厚くすることができる。
結果掘り込み引き手の手掛け溝に指を深く入れ、指をしっかりと手掛けに掛けて扉を引くことが可能になる。
【０００７】
扉の外側面は突き出し引き手の為に扉を引き易く、戸袋側面の掘り込み引き手も引き易い引き手となる。そして扉の最大開口寸法を確保することができる。
掘り込み引き手と突き出し引き手の取り付けに関しては、両引き手で扉を挟んで取り付けることで効率の良い取り付け作業ができる。扉にはネジ切りの必要が無く、引き手毎に取り付けることと比べ、取り付けネジの本数を半分に減らし、強い取り付け強度を得ることができる。
【０００８】
その取り付け方法を図２、３に基づいて説明する。
掘り込み引き手（５）に取り付けバー（１０）を設け、突き出し引き手（２）側でその取り付けバーを取り付けネジ（４）で固定する。
又は突き出し引き手側に取り付けバー（９）を設け、掘り込み引き手側から取り付けネジ（８）で両引き手を組み付ける。
どちらの方法も両引き手で扉を挟んで取り付けるものである。図のように掘り込み引き手側からと突き出し引き手側からの、両方から取り付ける事で、片側の取り付けネジを外されただけでは両引き手を外されなくするのが良いと考える。
【発明の効果】
【０００９】
片引き戸や引分け戸を開け閉めするための引き手で、扉の引き残しが無くて引き易い引き手が見られなかった。
本発明の組み合わせ引き手を使うことで扉の引き残しが発生せず、扉の戸袋側面に取り付けた彫りこみ引き手を使い易い寸法とし、扉の外側面は突き出し引き手の為に使い易く、従来の引き戸取手の欠点を改善することができた。
【発明を実施するための最良の形態】
【００１０】
発明の組み合わせ引き手は、図４で示したような建て付けの扉に取り付けた時に効果を発揮する。つまり、戸尻側壁（１２）に戸袋（１３）があり、扉（１）を全開した時に扉の全体が戸袋に納まり、開口寸法（１７）いっぱいに扉を開くことのできる構造の建て付けの扉に取り付けた時に効果を発揮する。従来の片引き戸や引き分け戸では、このような建て付けが一般的である。
３枚引きや４枚引きの扉でも同様の建て付けであり、組み合わせ引き手を戸先側端の扉のみに取り付けて使用することも可能である。
引き違い扉でも、両扉の戸先側に組み合わせ引き手を取り付けて使用する事が可能である。その場合、相手側扉を戸尻側壁と見なせばよい。
【００１１】
組み合わせ引き手の仕組みを図２、３、４に基づいて説明する。
扉（１）の戸袋側面（１４）に掘り込み引き手（５）を取り付け、扉の外側面（１５）に突き出し引き手（２）を取り付けるのが基本である。
掘り込み引き手が扉の片側のみであるため、図３で示したように掘り込み引き手の手掛け溝（６）の深さを扉の厚さいっぱいまで深くすることができる。
３０〜３５ミリメートル程の深さにすると指を入れ易い深さとなる。
手掛け溝の深さを深くすることで手掛け（７）の厚さ（２０）も厚くすることが可能となる。手掛けの厚さは厚い方が扉を引く時の指の負担が小さく、薄いと指が痛くなる。できれば１０ミリメートル以上の厚さが欲しいところである。指を深く入れて、扉は指先で引かず、折り曲げた指先の手前側を手掛けに当てて扉を引く事で引く手に力を掛け易くなる。本発明ではその為の手掛け溝の深さと手掛けの厚さを確保することができる。
【００１２】
扉の外側面には突き出し引き手（２）を取り付けるので、外側からの扉の開閉には突き出し引き手を握って引けばよい。
よって、本発明では、掘り込み引き手側からでも突き出し引き手側からでも扉を引き易い引き手となり、かつ引き手が戸尻側壁や枠に当たることなく、扉を開口寸法（１７）いっぱいまで開けることができる。
【００１３】
組み合わせ引き手の扉への取り付け方を図２に基づいて説明する。
掘り込み引き手（５）を扉の戸袋側面に当て、突き出し引き手を扉の外側面に当て、両引き手で扉を挟むように押さえる。
次に、両引き手を取り付けネジ（８）を使って強く締め付けることによって両引き手で強く扉を挟みつけ、両引き手を扉に取り付ける。
図ではさらに扉の逆側から取り付けネジ（４）を使って両引き手で扉を挟むようにすることで、片側の取り付けネジを外されても両引き手が扉から外れるのを防止する。
【００１４】
内外両引き手で扉を挟んで取り付ける方法のメリットとして、安定した一定の取り付け強度が得られる点、扉へのネジ切り加工が不要になる点、引き手毎に扉にネジ止めする事に比べてネジの数が半分で済む点、及びネジ穴の位置ずれの為にネジ締めができなくなる問題が発生しない点が挙げられる。
【図面の簡単な説明】
【００１５】
【図１】Ａ．本発明の組み合わせ引き手で、扉に取り付けた突き出し引き手側斜視図である。   Ｂ．掘り込み引き手側斜視図である。
【図２】図１のAA断面で、突き出し引き手と掘り込み引き手で扉を挟んで取り付けた事を示す。
【図３】図１のB位置水平断面を示す。
【図４】Ａ．扉を閉じた状態の扉と枠と壁を示す。  Ｂ．扉を開けて扉を戸袋に収納した状態を示す。
【符号の説明】
【００１６】
１        扉
２        突き出し引き手
３        化粧座
４        取り付けネジ
５        掘り込み引き手
６        手掛け溝
７        手掛け
８        取り付けネジ
９        取り付けバー
１０      取り付けバー
１１      戸先枠
１２      戸尻側壁
１３      戸袋
１４      戸袋側面
１５      外側面
１６      収納チリ寸法
１７      開口寸法
１８      扉中心
１９      壁中央
２０      厚さ
【図１】
2007002471.tif 000003
【図２】
2007002471.tif 000004
【図３】
2007002471.tif 000005
【図４】
2007002471.tif 000006